(57)【要約】【課題】大きさ、形状、内容などを自由に変えた帯電防止層を容易に形成でき、オンデマンドで少量・多種類の注文にも応じることができるインクジェットインクおよびそれを用いたシートの提供。【解決手段】帯電防止用材料を含むインクジェットインクを用いる。前記帯電防止用材料が導電性共役系高分子であることが好ましい。シート基材１上の所定部にこのインクジェットインクで形成された帯電防止層７を有するシート（ＲＦ−ＩＤ）により課題を解決できる。【選択図】      図１
2004196988.tif 000002
【特許請求の範囲】
【請求項１】
帯電防止用材料を含むことを特徴とするインクジェットインク。
【請求項２】
前記帯電防止用材料が導電性共役系高分子であることを特徴とする請求項１記載のインクジェットインク。
【請求項３】
シート基材上の所定部に少なくとも請求項１あるいは請求項２記載のインクジェットインクで形成された帯電防止層を有することを特徴とするシート。
【発明の詳細な説明】
【０００１】
【発明の属する技術分野】
本発明は、帯電防止用材料を含むインクジェットインクおよびそれを用いたシートに関するものである。
【０００２】
【従来の技術】
例えば、一般のプラスチックフィルム、プラスチックシートやカードなど、あるいは非接触型ＩＣカード、タグ、ラベルなどのように非接触状態でデータの送受信を行ってデータの記録、消去などが行える情報記録媒体の用途に用いられる非接触型ＩＣメディア［ＲＦ−ＩＤ（ＲａｄｉｏＦｒｅｑｕｅｎｃｙ  ＩＤｅｎｔｉｆｉｃａｔｉｏｎ）メデイア］などは、取り扱い中あるいは製造工程などにおいて生じる静電気によって各種の障害が生じることがあり、ＩＣメディアにおいては通信が妨げられたり、場合によってはＩＣチップが劣化あるいは破壊されるなどの不都合を生じることがあった。
【０００３】
そこでプラスチックフィルム、プラスチックシートやカードなどあるいはシート基材に帯電防止剤を添加する方法が開発されたが、帯電防止効果は得られるものの、プラスチックフィルムやプラスチックシートなどあるいはシート基材の物理的強度が低下したり、ＩＣチップの故障や形状変化による不良を生じ易くなるという新たな問題が発生する。
【０００４】
そこで帯電防止剤を配合した絶縁インクを用いて導電回路上に印刷して静電保護層を形成することが提案されている（例えば、特許文献１参照）。
【０００５】
【特許文献１】
特願２００２−８６７８８号公報
【０００６】
【発明が解決しようとする課題】
しかし、この方法は、大きさ、形状、内容などを自由に変えた静電保護層を形成できず、オンデマンドで少量・多種類の注文に応じることが困難であるという問題があった。
本発明の第１の目的は、大きさ、形状、内容などを自由に変えた帯電防止層を容易に形成でき、オンデマンドで少量・多種類の注文にも応じることができるインクジェットインクを提供することであり、本発明の第２の目的は、そのインクジェットインクを用いたプラスチックフィルム、プラスチックシートやカードなど、あるいはＩＣメディアなどのシートを提供することである。
【０００７】
【課題を解決するための手段】
課題を解決するための本発明の請求項１記載のインクジェットインクは、帯電防止用材料を含むことを特徴とする。
【０００８】
本発明のインクジェットインクを用いて公知のインクジェットプリンタで帯電防止層を印刷すると、有機材料や無機材料あるいはこれらを組み合わせた各種の材料や製品の平面上は勿論のこと曲面上に、大きさ、形状、内容などを自由に変えた帯電防止層を容易に形成でき、オンデマンドで少量・多種類の注文にも応じることができ、これらの材料や製品の取り扱い中あるいは製造工程などにおいて生じる静電気による各種の障害を防止できる。
【０００９】
本発明の請求項２記載のインクジェットインクは、請求項１記載のインクジェットインクにおいて、前記帯電防止用材料が導電性共役系高分子であることを特徴とする。
【００１０】
帯電防止用材料が導電性共役系高分子であると、形成された帯電防止層が使用を重ねるうちに剥がれたりせず、また水などで溶出し難く、耐久性があり、帯電防止効果が高い。
【００１１】
本発明の請求項３は、シート基材上の所定部に少なくとも請求項１あるいは請求項２記載のインクジェットインクで形成された帯電防止層を有することを特徴とするシートである。
【００１２】
本発明のシートの帯電防止層は、大きさ、形状、内容などを自由に変えることができ、オンデマンドで少量・多種類の注文にも応じることができ、取り扱い中あるいは製造工程などにおいて生じる静電気による各種の障害を防止できるので、プラスチックフィルム、プラスチックシートやカードなど、あるいは非接触型ＩＣカード、タグ、ラベルなどのように非接触状態でデータの送受信を行ってデータの記録、消去などが行える情報記録媒体の用途に用いられる非接触型ＩＣメディアなどに好適に適用できる。
【００１３】
【発明の実施の形態】
以下、本発明の実施の形態を詳細に説明する。
図１（Ａ）〜（Ｇ）は、本発明のシートの１実施形態である非接触型ＩＣメディアを製造する工程を説明図である。
（Ａ）工程で、紙、プラスチックなどの絶縁体からなるシート基材１を用意する。
（Ｂ）工程で、シート基材１面の所定部に、導電インクを用いてスクリーン印刷して硬化乾燥するなどの方法により図に示すパターンを有するアンテナ部２を形成する。
（Ｃ）工程で、アンテナ部２の所定部に絶縁インクを用いて印刷後、硬化乾燥するなどの方法により図に示す絶縁部３を形成する。
（Ｄ）工程で、絶縁部３を形成後、この絶縁部３の上に導電インクを用いてスクリーン印刷して硬化乾燥するなどの方法によりジャンパ部４を形成して、図中の２つのアンテナ部２間を導通して接続する。
（Ｅ）工程で、シート基材１の図に示すチップ実装部位に位置しているアンテナ部２間にＩＣチップ５の図示しない接続端子を突き刺さして導通するなどの方法によりＩＣチップ５を実装する。
（Ｆ）工程で、実装したＩＣチップ５にフェノール樹脂、ポリエステル樹脂などのポリマー部材６からなる熱硬化型絶縁インクを、ポッティング方式にて被覆した後、硬化させてＩＣチップ５を封止する。
（Ｇ）工程で、アンテナ部２およびジャンパー部４の上に導電性共役系高分子を含む帯電防止用材料を含む本発明のインクジェットインクを用いて公知のインクジェットプリンタにより印刷後、必要に応じて乾燥するなどの方法により帯電防止層７（厚さは特に限定されないが、例えば厚さ約５〜２０μｍ）を形成して非接触ＩＣメディアを形成する。
【００１４】
上記の実施形態では、（Ｇ）工程で帯電防止層７を形成した例を示したが、これに限定されず（Ｆ）工程で帯電防止層７を形成してもよく、あるいは（Ｂ）〜（Ｅ）工程で帯電防止層７の一部を形成しておき、後の工程で残りの帯電防止層７を形成してもよく、これらの組み合わせでもよい。
また帯電防止層７は、上記の実施形態に限定されず、その大きさ、形状、厚さなどの内容を自由に変えることができる。
【００１５】
上記の実施形態では、本発明のシートとして非接触ＩＣメディアを例を示したが、これに限定されず、プラスチックフィルム、プラスチックシートやカードなどを始め、有機材料や無機材料あるいはこれらを組み合わせた各種の材料や製品の平面上は勿論のこと曲面上に、大きさ、形状、内容などを自由に変えた帯電防止層を形成できる。この帯電防止層は複数の層を積層した積層体の表面に形成してもよいが、積層体の層間に形成してもよい。
【００１６】
本発明で用いる帯電防止用材料は、有機系帯電防止剤でも無機系帯電防止剤でもあるいはこれらから選ばれる２つ以上の混合物でもよい。
無機系帯電防止剤としては、具体的には、例えば、カーボンブラック、黒鉛粉末、炭素繊維、金属粉末、金属繊維、溶融塩、半導体などを挙げることができる。
有機系帯電防止剤としては、具体的には、例えば、導電性共役系高分子、長鎖アミン・アミド・第４級アンモニウム塩などの含窒素化合物、脂肪酸のエステルとその誘導体、スルホン酸やアルキル芳香族スルホン酸塩、ポリオキシエチレン誘導体、ポリグリコールとその誘導体、多価アルコールとその誘導体、リン酸誘導体、カチオン系界面活性剤、アニオン系界面活性剤、両性界面活性剤、非インオン系界面活性剤などを挙げることができる。
【００１７】
帯電防止用材料として界面活性剤を用いて発泡が問題になるような場合は、消泡剤や粘度調整剤などを添加するなど、帯電防止用材料の作用効果を損なわない範囲で公知の添加剤を本発明のインクジェットインクに添加できる。
【００１８】
これらの帯電防止用材料の中でも導電性共役系高分子は本発明において好ましく使用できる。帯電防止用材料が導電性共役系高分子であると、形成された帯電防止層が使用を重ねるうちに剥がれたりせず、また界面活性剤などに比較して水などで溶出し難く、耐久性があり、帯電防止効果が高い。
【００１９】
本発明で用いる導電性共役系高分子としては、具体的には、例えばポリアセチレン、ポリフェニレン、ポリピロール、ポリチオフェン、ポリフラン、ポリセレノフェン、ポリイソチアナフテン、ポリフェニレンスルフィド、ポリアニリン、ポリフェニレンビニレン、ポリチオフェンビニレン、ポリペリナフタレン、ポリアントラセン、ポリナフタリン、ポリピレン、ポリアズレン、およびこれらの誘導体から選択された少なくとも１つの導電性共役系高分子や、ヨウ素、フッ化砒素、塩化鉄、過塩素酸イオン、スルホン酸イオン、パーフルオロスルホン酸イオン、イオン種が高分子に共有結合しているポリスチレンスルホン酸イオンから選択された少なくとも１つのドーパントでドーピングしたこれらの導電性共役系高分子、あるいはこれらの２種以上の組み合わせを挙げることができる。
【００２０】
本発明で用いる導電性共役系高分子として、これらの導電性共役系高分子を水中にコロイド状態で分散させたコロイド水分散液を使用できる。具体的には例えば、３，４−エチレンジオキシチオフェンをトルエンスルホン酸鉄（ＩＩＩ）などの触媒の存在下で重合して得られるポリ（３，４−エチレンジオキシチオフェン）−ポリ（スチレンスルホン酸塩）コロイド水分散液（以下、ＰＥＤＯＴ／ＰＳＳと称す）（商品名：ＢａｙｔｒｏｎＰ、導電性ポリマー（ＰＥＤＯＴ／ＰＳＳ）の濃度約１．３質量％、バイエル社製）を挙げることができる。
また、本発明で用いる導電性共役系高分子として、前記導電性共役系高分子を例えば水あるいは有機溶剤などに溶解した導電性共役系高分子溶液を用いることもできる。
本発明において導電性共役系高分子コロイド分散液や導電性共役系高分子溶液は、単独で使用することができるが、両者を任意の割合で組み合わせて使用することもできる。
【００２１】
本発明のインクジェットインクは、帯電防止用材料を含有させてあれば特に限定されるものではなく、従来公知のインクジェットインクを使用することができ、市販品を使用することもできる。本発明のインクジェットインクの具体例としては例えば、帯電防止用材料およびアントラキノン系、ベンゾキノン系、ナフトキシキノン系、キサンテン系、トリフェニルメタン系、キノリン系、インジゴイド系、アジン系、オキサジン系、チアジン系およびメチン系染料からなる群から選ばれた少なくとも１種のアニオン性染料を、水、エタノール、プロパノール、ブタノールなどのアルコール類、グリコール類、エチレングリコールモノメチルエーテルなどのエーテル類などの１種以上に配合したものや、前記染料を配合せず帯電防止用材料を水、エタノール、プロパノール、ブタノールなどのアルコール類、グリコール類、エチレングリコールモノメチルエーテルなどのエーテル類などの１種以上に配合したものを挙げることができる。
本発明のインクジェットインクを用いて公知のインクジェットプリンタにより帯電防止層を容易に形成することができる。
【００２２】
本発明で用いるグリコール類の例としは、例えば中沸点および高沸点溶剤（沸点が１００℃以上のもの）であり、具体的には、グリコール（グリセリン、エチレングリコール、ジエチレングリコール、トリエチレングリコール、ポリエチレングリコール、プロピレングリコール、ジプロピレングリコール）やグリコール誘導体（エチレングリコールモノメチルエーテル、エチレングリコールモノエチルエーテル、エチレングリコールモノブチルエーテル、ジエチレングリコールモノエチルエーテル、ジエチレングリコールモノブチルエーテル、エチレングリコールモノエチルエーテルアセテート、エチレングリコールモノブチルエーテルアセテート、ジエチレングリコールモノエチルエーテルアセテート、ジエチレングリコールモノブチルエーテルアセテート）など、およびこれらの２つ以上の混合物を挙げることができる。
【００２３】
本発明のインクジェットインク中の帯電防止用材料の配合量は特に限定されるものではない。しかし、インクジェットインク全体に対して、帯電防止用材料が０．０１〜５０質量％、好ましくは０．１〜４０質量％、より好ましくは０．１〜３０質量％配合されていることが好ましい。帯電防止用材料が０．０１質量％未満では帯電防止特性が発揮されない恐れがあり、５０質量％を超えるとインクジェットプリンタノズル詰まりなどが発生する恐れがあるので好ましくない。
【００２４】
本発明で用いるシート基材の素材としては、ガラス繊維、アルミナ繊維、ポリエステル繊維、ポリアミド繊維などの無機または有機繊維からなる織布、不織布、マット、紙（例えば、上質紙、中質紙、合成紙、各種再生紙、アート紙、コート紙、ミラーコート紙、コンデンサー紙、パラフィン紙、その他の紙の他に、それにオーバーコート層（保護層）をもつ用紙など）あるいはこれらを組み合わせたもの、あるいはこれらに樹脂ワニスを含浸させて成形した複合シート基材、ポリアミド系樹脂シート基材、ポリエステル系樹脂シート基材、ポリオレフィン系樹脂シート基材、ポリイミド系樹脂シート基材、エチレン・ビニルアルコール共重合体シート基材、ポリビニルアルコール系樹脂シート基材、ポリ塩化ビニル系樹脂シート基材、ポリ塩化ビニリデン系樹脂シート基材、ポリスチレン系樹脂シート基材、ポリカーボネート系樹脂シート基材、アクリロニトリルブタジエンスチレン共重合系樹脂シート基材、ポリエーテルスルホン系樹脂シート基材などのプラスチックシート基材、あるいはこれらにコロナ放電処理、プラズマ処理、紫外線照射処理、電子線照射処理、フレームプラズマ処理およびオゾン処理などの表面処理を施したもの、などの公知のものから選択して用いることができる。
【００２５】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【００２６】
【発明の効果】
本発明の請求項１記載のインクジェットインクは、帯電防止用材料を含むことを特徴とするものであり、公知のインクジェットプリンタで帯電防止層を印刷すると、有機材料や無機材料あるいはこれらを組み合わせた各種の材料や製品の平面上は勿論のこと曲面上に、大きさ、形状、内容などを自由に変えた帯電防止層を容易に形成でき、オンデマンドで少量・多種類の注文にも応じることができ、これらの材料や製品の取り扱い中あるいは製造工程などにおいて生じる静電気による各種の障害を防止できるという顕著な効果を奏する。
【００２７】
本発明の請求項２記載のインクジェットインクは、請求項１記載のインクジェットインクにおいて、前記帯電防止用材料が導電性共役系高分子であることを特徴とするものであり、帯電防止用材料が導電性共役系高分子であると、形成された帯電防止層が使用を重ねるうちに剥がれたりせず、また水などで溶出し難く、耐久性があり、帯電防止効果が高いというさらなる顕著な効果を奏する。
【００２８】
本発明の請求項３は、シート基材上の所定部に少なくとも請求項１あるいは請求項２記載のインクジェットインクで形成された帯電防止層を有することを特徴とするシートであり、形成された帯電防止層は、大きさ、形状、内容などを自由に変えることができ、オンデマンドで少量・多種類の注文にも応じることができ、取り扱い中あるいは製造工程などにおいて生じる静電気による各種の障害を防止できるので、プラスチックフィルム、プラスチックシートやカードなど、あるいは非接触型ＩＣカード、タグ、ラベルなどのように非接触状態でデータの送受信を行ってデータの記録、消去などが行える情報記録媒体の用途に用いられる非接触型ＩＣメディアなどに好適に適用できるという顕著な効果を奏する。
【図面の簡単な説明】
【図１】（Ａ）〜（Ｇ）は本発明のシートの１実施形態である非接触型ＩＣメディアを製造する工程を説明図である。
【符号の説明】
１  シート基材
２  アンテナ部
３  絶縁部
４  ジャンパ部
５  ＩＣチップ
６  ポリマー部材
７  帯電防止層
【図１】
2004196988.tif 000003